(57)【要約】【課題】  投射対象の位置ずれが生じることを防止する。【解決手段】  投射面上に映像を投射するための投射部５が内部に設けられた筐体８と、筐体８に設けられた排気部２２とを備える。そして、筐体８の天面部には、投射部５によって投射される原稿３が載置される載置領域が設けられ、この載置領域に、排気部２２が筐体８内を負圧にすることによって原稿３を吸着するための吸着穴２０が設けられる。【選択図】  図１
2005156608.tif 000002
【特許請求の範囲】
【請求項１】
投射面上に映像を投射するための投射部が内部に設けられた筐体と、
前記筐体に設けられた排気手段とを備え、
前記筐体の天面部には、前記投射部によって投射される投射対象が載置される載置領域が設けられ、該載置領域に、前記排気手段が前記筐体内を負圧にすることによって前記投射対象を吸着するための吸着用開口が設けられていることを特徴とするプロジェクタ。
【請求項２】
前記筐体の外方に設けられ、前記投射対象を撮影するための撮影部を備える請求項１に記載のプロジェクタ。
【請求項３】
前記筐体に設けられた吸気手段を備え、
前記排気手段による排気量が、前記吸気手段による吸気量よりも大きくされている請求項１または２に記載のプロジェクタ。
【請求項４】
前記吸着用開口は、複数の吸着穴からなる請求項１ないし３のいずれか１項に記載のプロジェクタ。
【請求項５】
前記排気手段は、前記筐体の前記天面部に対向する底面部に設けられている請求項１ないし４のいずれか１項に記載のプロジェクタ。
【請求項６】
前記筐体には、前記吸着用開口を開閉するためのカバー部材が設けられている請求項１ないし５のいずれか１項に記載のプロジェクタ。
【請求項７】
前記吸着用開口には、前記筐体内に塵埃が進入することを防止するためのフィルタ部材が設けられている請求項１ないし６のいずれか１項に記載のプロジェクタ。
【請求項８】
投射面上に映像を投射するための投射部が内部に設けられた筐体内の空気を前記筐体の外方に排気することで前記筐体内に負圧を発生させて、前記投射部によって投射される投射対象を、前記筐体の天面部に設けられた吸着用開口によって吸着して固定する投射対象の固定方法。
【請求項９】
前記投射対象は、前記筐体の外方に設けられた撮影部によって撮影される被写体である請求項８に記載の投射対象の固定方法。
【発明の詳細な説明】
【技術分野】
【０００１】
本発明は、スクリーン等の投射面上に映像を投射するためのプロジェクタ、および投射面上に投射される投射対象を固定するための投射対象の固定方法に関する。
【背景技術】
【０００２】
従来、プロジェクタとしては、外部機器から入力された映像を投射面上に投射するとともに、投射対象である原稿等を投射面上に投射するためのオーバーヘッドプロジェクタ（ＯＨＰ）のように使用することも可能なプロジェクタが開示されている（例えば、特許文献１参照。）。
【０００３】
この種の従来のプロジェクタは、スクリーン等の投射面上に映像を投射するための投射部と、投射面上に投射する原稿等の被写体を撮影するための撮影部とを備えている。そして、投射部が内部に設けられた筐体の天面部には、被写体が載置される載置領域が設けられている。
【０００４】
以上のように構成された従来のプロジェクタでは、載置領域に載置された原稿が撮影部によって撮影され、撮影部から原稿の画像が投射部に送られて、投射部によって投射面上に原稿の映像が投射される。
【特許文献１】特開２００２−１４３１６号公報（図２）
【発明の開示】
【発明が解決しようとする課題】
【０００５】
ところで、上述した撮影部を備える従来のプロジェクタは、載置領域上に原稿が載せられているだけであるため、被写体の撮影時等に、室内の空調やユーザーの動作による空気の流れ等によって、載置領域内を被写体が容易に移動してしまい、投射映像が移動してしまうという不都合がある。
【０００６】
そこで、本発明は、投射対象に位置ずれが生じることを防止できるプロジェクタおよび投射対象の固定方法を提供することを目的とする。
【課題を解決するための手段】
【０００７】
上述した目的を達成するため、本発明に係るプロジェクタは、投射面上に映像を投射するための投射部が内部に設けられた筐体と、この筐体に設けられた排気手段とを備える。そして、筐体の天面部には、投射部によって投射される投射対象が載置される載置領域が設けられ、この載置領域に、排気手段が筐体内を負圧にすることによって投射対象を吸着するための吸着用開口が設けられる。
【０００８】
以上のように構成した本発明に係るプロジェクタによれば、排気手段によって筐体内に負圧が発生されて、吸着用開口から筐体内に空気が吸引される吸引力によって、載置領域に載置された投射対象が吸着されて固定される。したがって、本発明のプロジェクタによれば、載置領域に載置された投射対象が固定されるため、投射部によって投射される投射対象が移動して位置ずれが生じることを防止される。
【０００９】
また、本発明に係るプロジェクタは、筐体の外方に設けられ、投射対象を撮影するための撮影部を備えてもよい。これによって、撮影部によって撮影される投射対象が移動して位置ずれが生じることが防止される。
【００１０】
また、本発明に係るプロジェクタによれば、筐体に設けられた吸気手段を備え、排気手段による排気量が、吸気手段による吸気量よりも大きくされることが好ましい。これによって、筐体内が良好に換気されて冷却されるとともに、載置領域に載置された投射対象が良好に固定される。
【００１１】
また、本発明に係るプロジェクタが備える筐体には、吸着用開口を開閉するためのカバー部材が設けられることが好ましい。これによって、載置領域に投射対象が載置されないときに、吸着用開口から筐体内に塵埃が進入することが防止される。
【００１２】
また、本発明に係るプロジェクタが備える筐体には、吸着用開口に、筐体内に塵埃が進入することを防止するためのフィルタ部材が設けられることが好ましい。これによって、載置領域に投射対象が載置されないときに、吸着用開口から筐体内に塵埃が進入することが防止される。
【００１３】
また、本発明に係る投射対象の固定方法は、投射面上に映像を投射するための投射部が内部に設けられた筐体内の空気を筐体の外方に排気することで筐体内に負圧を発生させて、投射部によって投射される投射対象を、筐体の天面部に設けられた吸着用開口によって吸着して固定する。
【００１４】
また、本発明に係る投射対象の固定方法は、投射対象が、筐体の外方に設けられた撮影部によって撮影される被写体であってもよい。
【００１５】
なお、本発明における投射対象とは、例えばシート材やフィルム材等の原稿を指している。
【発明の効果】
【００１６】
上述したように本発明によれば、投射対象が載置される載置領域に、投射対象を吸着するための吸着用開口が設けられた筐体を備えることによって、載置領域に載置された投射対象が固定されるため、投射部によって投射される投射対象が移動して位置ずれが生じることを防止できる。
【発明を実施するための最良の形態】
【００１７】
以下、本発明の具体的な実施形態について、図面を参照して説明する。
【００１８】
本実施形態に係るプロジェクタは、外部機器から入力された映像を投射面上に投射するとともに、オーバーヘッドプロジェクタ（ＯＨＰ）のように投射対象である被写体が筐体の載置領域に載置され、この被写体を撮影することで投射映像として投射面上に投射することも可能なプロジェクタである。なお、被写体とは、例えばシート材やフィルム材等に文字や画像が記載された書類等の原稿を指している。
【００１９】
図１に示すように、プロジェクタ１は、スクリーン等の投射面上に映像を投射するための投射部５と、投射する原稿３を撮影する撮影部６と、これら投射部５および撮影部６を制御するためのＣＰＵ（Central Processing Unit）（不図示）と、これら投射部５、ＣＰＵを覆う筐体８とを備えている。
【００２０】
また、このプロジェクタ１は、投射部５等によって発生する熱を筐体８外方に排出するための冷却機構１０を備えている。この冷却機構１０は、筐体８内に外方から空気を取り入れるための吸気部２１と、筐体８内の空気を外方に排気するための排気手段である排気部２２とを有している。
【００２１】
投射部５は、投射面上に映像を投射するための投射レンズ１１と、投射する映像を表示する液晶表示部１２と、この液晶表示部１２に表示する映像を制御する映像制御部１３と、液晶表示部１２に投射光を照射するランプ１５を有する光源部１４とを有している。
【００２２】
なお、投射部５は、液晶表示部１２の代わりに、光源部１４からの入射光を映像として反射するＤＭＤ（デジタル・マイクロミラー・デバイス）を有する構成にされてもよい。
【００２３】
撮影部６は、筐体８の天面部に対向する位置に設けられており、例えばＣＣＤ（Charge-Coupled Device）等の撮像素子と、この撮像素子によって撮影される原稿３を照らすための照明用ランプ（不図示）とを有している。筐体８の天面の隅部には、撮影部６を支持する支柱１７が立設されており、この支柱１７の先端に、撮影部６が設けられている。そして、撮影部６は、投射部５、ＣＰＵに電気的に接続されており、撮影した原稿３の画像を投射部５の映像制御部１３に送る。映像制御部１３に送られた原稿３の画像は、液晶表示部１２に映像として表示されることで、投射面上に原稿３の映像が投射される。
【００２４】
筐体８には、天面部に、原稿３が載置される平坦な載置領域が設けられている。この載置領域の中央には、図１および図２に示すように、外方から筐体８内に空気を吸引するための吸着用開口である複数の吸着穴２０が貫通してそれぞれ設けられている。これら吸着穴２０から筐体８内に空気が吸引される吸引力によって、載置領域上に載置された原稿３は吸着されて固定される。なお、吸着穴は、必要に応じて、開口形状、個数や、配置が適宜変更されてもよいことは勿論である。
【００２５】
吸気部２１は、筐体８の側面部に設けられた吸気口２４と、この吸気口２４近傍に設けられた吸気ファン２５と、この吸気ファン２５を回転駆動するモータ（不図示）とを有している。
【００２６】
排気部２２は、筐体８の底面部に設けられた排気口２６と、この排気口２６近傍に設けられた排気ファン２７と、この排気ファン２７を回転駆動するモータ（不図示）とを有している。そして、排気部２２は、排気量が吸気部２１による吸気量よりも大きく設定されており、筐体８内が良好に負圧にされるように構成される。
【００２７】
また、図示しないが、例えば操作ボタン等による操作で、例えば一時的に吸気部２１を停止させるとともに排気ファン２７の回転数を高くさせて、強制的に排気量を増加させることで、筐体８内の負圧を大きくして、原稿３が良好に吸着させるように構成されてもよい。
【００２８】
また、図示しないが、筐体８の天面部には、原稿３の投射を行わないときに、吸着穴２０を閉塞するためのカバー部材がスライド可能または着脱可能に設けられてもよく、このようなカバー部材によって吸着穴２０から塵埃が筐体８内に進入することを防止することが可能になる。また、必要に応じて、筐体８の天面部には、筐体８内に外方から塵埃が進入することを防止するための防塵フィルタが、吸着穴２０を閉塞するように設けられてもよい。
【００２９】
以上のように構成されたプロジェクタ１について、載置領域上に載置された原稿３が吸着される動作を説明する。
【００３０】
プロジェクタ１では、筐体８の吸着穴２０を覆うように載置領域上に原稿３が載置され、排気部２２によって筐体８内に発生させた負圧で、吸着穴２０から空気が吸引され、この吸引力によって原稿３が載置領域上に吸着されて固定される。
【００３１】
また、他の原稿３に差し替える際には、載置されている原稿３が吸引力に抗して容易に取り外されて、同様に他の原稿３が載置領域上に吸着されて固定される。
【００３２】
上述したように、プロジェクタ１によれば、筐体８の天面部に、原稿３を吸着するための複数の吸着穴２０が設けられたことで、冷却機構１０によって筐体８内の光源部１４等から生じた熱が筐体８外方に排出されるとともに、載置領域に載置された原稿３が吸着穴２０による吸引力で固定される。このため、このプロジェクタ１によれば、撮影部６によって原稿３が撮影される際等に、室内の空調やユーザーの動作による空気の流れ等によって原稿３が載置領域内を移動して位置ずれが生じることを防止できる。すなわち、このプロジェクタ１は、投射面上に投射された原稿３の投射映像に位置ずれを生じさせることなく、原稿３の投射映像を良好に投射することができる。
【００３３】
また、上述した実施形態のプロジェクタ１では、吸着穴２０が、筐体８の天面部に設けられる構成にされたが、例えば、筐体の側面部に吸着穴が設けられ、原稿を投射する際に、筐体を回転させて設置することで、吸着穴が設けられた側面部を鉛直上方に位置させて、原稿を側面部上に載置させるように構成されてもよい。
【００３４】
また、本発明に係るプロジェクタは、上述したプロジェクタに限定されるものでなく、透明性を有する原稿を透過させた投射光を投射面上に投射させるように構成されたオーバーヘッドプロジェクタに適用されても好適である。
【図面の簡単な説明】
【００３５】
【図１】本発明に係るプロジェクタの全体構成を模式的に示す側面図である。
【図２】前記プロジェクタを示す平面図である。
【符号の説明】
【００３６】
１  プロジェクタ
３  原稿
５  投射部
６  撮影部
８  筐体
１０  冷却機構
１１  投射レンズ
１２  液晶表示部
１３  映像制御部
１４  光源部
１５  ランプ
１７  支柱
２０  吸着穴
２１  吸気部
２２  排気部
２４  吸気口
２５  吸気ファン
２６  排気口
２７  排気ファン
【図１】
2005156608.tif 000003
【図２】
2005156608.tif 000004